(57)【特許請求の範囲】
【請求項１】
ステータ電極が配されているステータと、当該ステータに載置されたロータとを備え、
上記ロータは、厚さが厚い部分でありロータ電極が配されたロータ電極部と、当該ロータ電極部より厚さが薄く上記ステータと非接触である非電極部と、貫通孔とを有し、
上記ステータは、上記ロータが載置された載置面に、上記貫通孔と連通する凹部を有し、
上記凹部の底面には凸部が配されていることを特徴とする可変コンデンサ。
【請求項２】
上記ロータの回転軸に垂直な断面における断面形状が、上記貫通孔は上記ロータを回転操作する工具に係合する部分を有する形状であり、上記凹部は円形であることを特徴とする請求項１に記載の可変コンデンサ。
【請求項３】
上記ロータは、上記非電極部における上記ステータの上記載置面との対向面に、当該対向面の縁に沿って延伸し上記ロータ電極部と接続すると共に、上記ステータの上記載置面に、上記ロータ電極部と共に接触する高さの第１の突起部を有することを特徴とする請求項１または２に記載の可変コンデンサ。
【請求項４】
上記ロータは、上記非電極部における上記ステータの上記載置面との対向面に、上記貫通孔の縁に沿って延伸し上記ロータ電極部と接続すると共に、上記ステータの上記載置面に、上記ロータ電極部と共に接触する高さの第２の突起部を有していることを特徴とする請求項１〜３の何れか１項に記載の可変コンデンサ。
【発明の詳細な説明】
【技術分野】
【０００１】
本発明は静電容量が可変である可変コンデンサに関する。
【背景技術】
【０００２】
図１３〜図１５を用いて、特許文献１等に開示されている従来の可変コンデンサについて説明する。図１３に示すように、可変コンデンサ１０１は、フレーム１１２とロータ１２１とステータ１３１とを備える。ロータ１２１はステータ１３１の天面に載置されている。フレーム１１２はロータ１２１及びステータ１３１それぞれを覆う。
【０００３】
図１３及び図１４に示すように、ロータ１２１は、一方の片側半分であって厚みが厚くロータ電極１２２が配されたロータ電極部１２４と、他方の片側半分であってロータ電極部１２４より厚みが薄くロータ電極が配されていない非電極部１２５と、非電極部１２５のステータ１３１との対向面からステータ１３１の天面に向けて伸びるリブ１２６とを有する。ロータ１２１のうち、ロータ電極部１２４及びリブ１２６のそれぞれのステータ１３１との対向面はステータ１３１の天面と接触しており、非電極部１２５のうちステータ１３１との対向面はステータ１３１の天面と離間している。
【０００４】
ロータ１２１の中心部分にはドライバ１０７を挿入するための穴１２３が形成されている。ドライバ１０７の角が、四角形である穴１２３の角と接触し、ドライバ１０７を回転させることでロータ１２１が回転する。これにより、ロータ１２１の回転方向の位置の調整が可能である。
【０００５】
図１３及び図１５に示すようにステータ１３１は、ステータ電極１３２とボディ１３４とを備えている。ステータ電極１３２はボディ１３４内部に配されている。
【０００６】
図１３に示すように、フレーム１１２のうちロータ１２１の穴１２３近傍はフレーム１１２がロータ１２１側へ屈曲する部分となっている。当該屈曲する部分はロータ１２１の天面と接触しロータ１２１をステータ１３１へ押し付けるバネとして機能する。
【先行技術文献】
【特許文献】
【０００７】
【特許文献１】特開平１０‐３２１４６７号公報（１９９８年１２月４日公開）
【発明の概要】
【発明が解決しようとする課題】
【０００８】
図１３に示すように、ロータ１２１の穴１２３はロータ１２１を貫通して形成されている。このため、矢印Ｚ１に示すように、先端に異物１０９が付着したドライバ１０７を穴１２３に挿入すると、当該異物１０９が、穴１２３を介してロータ１２１のうち厚みが薄い非電極部１２５とステータ１３１の天面との隙間に入ってしまう。
【０００９】
また、ロータ１２１の非電極部１２５とステータ１３１の天面との隙間近傍は、フレーム１１２は覆っておらず、ロータ１２１の非電極部１２５とステータ１３１の天面との隙間は開口している。矢印Ｚ２に示すように、当該開口部分を介しても、ロータ１２１の非電極部１２５とステータ１３１の天面との隙間に異物１０９が入る。
【００１０】
ロータ１２１の非電極部１２５とステータ１３１の天面との隙間に異物１０９が入った状態のままロータ１２１を回転させると、当該異物１０９が、ロータ電極部１２４の下面とステータ１３１の天面との間に噛み込んでしまう。このように、ロータ電極部１２４の下面とステータ１３１の天面との間に異物１０９が噛み込むと、急激に静電容量が変化することになる。
【００１１】
なお、ロータ１２１は、ステータ１３１と回転軸等で固定されているものではなく、フレーム１１２により天面側からステータ１３１へ押し付けられているだけである。このため、穴１２３に挿入されたドライバ１０７によって回転したとき、ロータ１２１はステータ１３１に対し偏心を生じる。
【００１２】
図１５の矢印Ｒで示す複数の円はロータ１２１の回転軌跡を表している。このように、ロータ１２１の回転軸の位置は、一定ではなく、ずれる。可変コンデンサ１０１によると、このロータ１２１の偏心により容量偏差が生じることになる。
【００１３】
本発明は、上記の問題点を解決するためになされたもので、その目的は、ロータとステータとの間へ異物が入ることが防止された可変コンデンサを提供することである。
【課題を解決するための手段】
【００１４】
上記の課題を解決するために、本発明の一態様に係る可変コンデンサは、ステータ電極が配されているステータと、当該ステータに載置されたロータとを備え、上記ロータは、厚さが厚い部分でありロータ電極が配されたロータ電極部と、当該ロータ電極部より厚さが薄く上記ステータと非接触である非電極部と、貫通孔とを有し、上記ステータは、上記ロータが載置された載置面に、上記貫通孔と連通する凹部を有することを特徴とする。
【発明の効果】
【００１５】
本発明の一態様によれば、ロータとステータとの間へ異物が入ることを防止するという効果を奏する。
【図面の簡単な説明】
【００１６】
【図１】実施形態１に係る可変コンデンサの断面図である。
【図２】実施形態１に係る可変コンデンサの斜視図である。
【図３】実施形態１に係る可変コンデンサの分解斜視図である。
【図４】（ａ）は実施形態１に係る可変コンデンサが有するロータの下面図であり、（ｂ）は（ａ）に示すロータの下面側からみた斜視図である。
【図５】実施形態１に係る可変コンデンサが有するステータの天面図である。
【図６】（ａ）は実施形態１に係る可変コンデンサから切り出した、ロータ電極の回転軌跡部分を示す斜視図であり、（ｂ）は（ａ）に示すロータ電極の回転軌跡部分を示す断面図である。
【図７】（ａ）は最小容量値を得るときのロータ電極とステータ電極との位置関係を表し、（ｂ）は最大容量値を得るときのロータ電極とステータ電極との位置関係を表す図である。
【図８】実施形態２に係る可変コンデンサの断面図である。
【図９】実施形態２に係る可変コンデンサの複数の凸部の構成を表す断面図である。
【図１０】実施形態２に係る可変コンデンサが有するステータの天面図である。
【図１１】実施形態３に係る可変コンデンサの断面図である。
【図１２】実施形態３に係る可変コンデンサが有するロータの下面図である。
【図１３】従来の可変コンデンサの構成を表す断面図である。
【図１４】従来の可変コンデンサにおけるロータの下面図である。
【図１５】従来の可変コンデンサにおけるステータの天面図である。
【発明を実施するための形態】
【００１７】
〔実施形態１〕
（可変コンデンサ１の構造）
図１は実施形態１に係る可変コンデンサ１の断面図である。図２は実施形態１に係る可変コンデンサ１の斜視図である。図３は実施形態１に係る可変コンデンサ１の分解斜視図である。図４の（ａ）は実施形態１に係る可変コンデンサ１が有するロータ２１の下面図であり（ｂ）は（ａ）に示すロータ２１の下面側から見た斜視図である。図５は実施形態１に係る可変コンデンサ１が有するステータ３１の天面図である。なお、図１において、破線で示すドライバ７によって隠れる一部の断面線の記載を省略している。実施形態２・３で説明する後掲の図８・図１１・図１３についても同様である。
【００１８】
図１〜図３に示すように、可変コンデンサ１は、ステータ電極３２が配されているステータ３１と、ステータ３１に載置され、ロータ電極２２が配されているロータ２１と、ステータ３１及びロータ２１を収納し、ロータ２１を回転可能に保持するフレーム１１とを備える。可変コンデンサ１は、ロータ２１を回転させることで、静電容量の調整が可能なコンデンサである。ロータ２１はステータ３１の天面（載置面）に載置されている。
【００１９】
図１に示すように、ロータ２１は、厚さが厚い部分でありロータ電極２２が配されたロータ電極部２４と、ロータ電極部２４より厚さが薄くステータ３１と非接触である非電極部２５と、ロータ２１を回転操作するドライバ（工具）７を挿入するための貫通した穴（貫通孔）２３とを有する。さらに図４に示すように、ロータ２１は、非電極部２５におけるステータ３１との対向面に当該対向面の縁に沿って延伸しロータ電極部２４と接続すると共に、ステータ３１の上記載置面に、ロータ電極部２４と共に接触する高さとなる突起部分であるリブ（第１の突起部）２６を有する。
【００２０】
ロータ２１は、金属材料からなるロータ電極２２が、誘電体であるロータ電極部２４に埋め込まれた構造である。ロータ電極２２はロータ２１のうち、厚みが厚い部分であるロータ電極部２４内であってステータ３１との対向面近傍に配されている。これにより、ロータ電極２２とステータ電極３２との間に誘電体が介在することになる。
【００２１】
ロータ２１の厚みとは、ロータ２１の天面から、ロータ電極部２４のうちステータ３１の載置面との対向面、または、非電極部２５のうちステータ３１の載置面との対向面までの距離のことである。なお、本実施形態では、ロータ電極部２４及び非電極部２５それぞれのステータ３１の載置面との対向面、および、ロータ２１の天面は、ともに平面であり、かつ、互いに平行であるものとする。ただし、本発明はこれに限定されるものではない。
【００２２】
図１に示すように、ロータ２１のうち、ロータ電極２２が配されているロータ電極部２４はロータ電極２２をステータ３１側へ近づけるため厚みが厚くなっており、ロータ電極２２が配されていない非電極部２５の厚みは薄くなっている。図４に示すように、ロータ２１の形状は、一例として、ロータ２１の回転軸に垂直な断面における断面形状は円形状である。なお、ロータ２１の形状は円形状に限定されるものではない。
【００２３】
図１及び図４に示すように、ロータ２１の穴（貫通孔）２３はロータ２１の回転軸の位置に設けられている。図４に示すように、ロータ２１の穴２３は、ロータ２１の回転軸に垂直な断面における断面形状が四角形などの多角形である。可変コンデンサ１の薄膜化につながるロータ２１の薄膜化のため、ロータ２１の穴２３はロータ２１を貫通して形成されている。あるいは、ロータ２１の穴２３は、円形の一部が凹（凸）形状であって、ドライバ７の凸（凹）形状部分と係合する形状となっていてもよい。つまり、ロータ２１の穴２３の断面形状は、ドライバ７と係合する部分を有し、ドライバ７の回転がロータ２１に伝わる構成になっていればよい。
【００２４】
ロータ電極部２４は一例として、ロータ２１のうちの一方の片側半分の部分であり、ステータ３１との対向面はステータ３１の天面と接触している。ロータ電極部２４に配されたロータ電極２２は、後述するステータ電極３２と一対の電極となる。
【００２５】
非電極部２５はロータ２１のうちの他方の片側半分の部分であり、ステータ３１との対向面はステータ３１の天面と離間している。非電極部２５はステータ３１の天面と離間しており、ロータ電極が配されていない。
【００２６】
リブ２６は非電極部２５を支持する。これにより、ロータ２１が傾くことが防止されている。リブ２６は、ロータ電極部２４と接続する一方の端部から、ロータ電極部２４と接続する他方の端部にかけて非電極部２５の縁に沿って延伸している。本実施形態においては、リブ２６は弧形状である。
【００２７】
図１及び図５に示すように、ステータ３１は、ステータ電極３２と、土台であるボディ３４と、ボディ３４の天面に設けられている凹部３３とを備える。ボディ３４はセラミック等の誘電体からなる。
【００２８】
凹部３３は、ロータ２１の穴２３と連通するように、ボディ３４の天面（すなわち、ステータ３１の天面）に設けられている。凹部３３は、ロータ２１の回転軸に対して垂直な断面における断面形状が円形状である。
【００２９】
ステータ電極３２はボディ３４内部であって天面近傍に配されている。ステータ電極３２と、ロータ電極部２４との間には、誘電体からなる、天面近傍のボディ３４の一部が介在する。ステータ電極３２から延伸する端子部は、一端がステータ電極３２と接続されており、他端にかけてボディ３４の側面に沿って下方に向かって配されており、他端近傍でボディ３４の裏面に沿うように屈曲している。
【００３０】
図１〜図３に示すように、フレーム１１は、一体として構成されているバネ作用部１２及び保持部１４・１５・１６を有する。バネ作用部１２は主としてロータ２１を覆う。保持部１４・１５・１６はステータ３１の３つの側面および裏面の一部を覆う。
【００３１】
図１及び図２に示すように、バネ作用部１２の天面（換言するとフレーム１１の天面）のうちロータ２１の穴２３と重なる部分は、穴２３およびその近傍のロータ２１を露出させる開口部１３となっている。開口部１３を構成する側面は、フレーム１１の天面からロータ２１の天面側へ屈曲する部分となっている。開口部１３を構成する側面は、先端がロータ２１の天面と接触する。これによりバネ作用部１２はロータ２１をステータ３１側へ押し付けるバネとして作用する。
【００３２】
図２及び図３に示すように、保持部１４・１５・１６は、ステータ３１及びステータ３１に載置されたロータ２１をフレーム１１で覆った後、中途部分からステータ３１の裏面と接触するように折り曲げられる。これによりフレーム１１はロータ２１及びステータ３１を保持する。
【００３３】
（可変コンデンサ１の動作）
容量可変の概念を説明するため、図６に、誘電体が２枚の電極(ロータ電極２２とステータ電極３２)によって挟まれた構造を示す。図６の（ａ）は可変コンデンサ１から切り出した、ロータ電極２２の回転軌跡部分を示す斜視図であり、（ｂ）は（ａ）に示すロータ電極の回転軌跡部分を示す断面図である。図７の（ａ）は最小容量値を得るときのロータ電極２２とステータ電極３２との位置関係を表し、（ｂ）は最大容量値を得るときのロータ電極２２とステータ電極３２との位置関係を表す図である。
【００３４】
可変コンデンサ１の静電容量を調整するときは、ロータ２１の穴２３及びステータ３１の凹部３３にドライバ７（図１参照）を挿入する。そして、図６の（ａ）の矢印Ｄに示すようにロータ電極２２を回転させることで、ロータ電極２２とステータ電極３２との相対位置を調整する。ロータ電極２２とステータ電極３２との間には、誘電体からなるロータ電極部２４の一部及び誘電体からなるボディ３４の一部が配されている。
【００３５】
図７の（ａ）に示すように、可変コンデンサ１の静電容量を最小値としたい場合、ロータ電極２２とステータ電極３２とが重ならない位置にロータ電極２２を配する。図７の（ｂ）に示すように、可変コンデンサ１の静電容量を最大値としたい場合、ロータ電極２２とステータ電極３２とが重なる位置にロータ電極２２を配する。このように、ロータ電極２２とステータ電極３２とが互いに対向する面積を増減させることで、可変コンデンサ１の静電容量を変化させることができる。
【００３６】
（可変コンデンサ１の主な利点）
可変コンデンサ１によると、ステータ３１は、ロータ２１が載置された載置面に、ロータ２１の穴２３と連通する凹部３３を有する。それゆえ、ドライバ７が上記ロータの貫通孔（穴２３）に挿入されたとき、ドライバ７に異物９が付着していても、図１の矢印Ａに示すように、異物９はステータ３１の凹部３３に落下し、可変コンデンサ１の特性に影響しない凹部３３に収容される。このため、ロータ２１の非電極部２５とステータ３１との間に隙間が存在し、ドライバ７より異物９がロータ２１内に持ち込まれたとしても、上記隙間に異物９が入ることを防止することができる。この結果、可変コンデンサ１のサイズを維持したまま、異物が入ることによる急激な容量変化を防ぎ、信頼性を高めることができる。
【００３７】
加えて、ロータ２１を回転させる際、ドライバ７は、ロータ２１の穴２３に挿入されるとステータ３１の凹部３３にも挿入され、ロータ２１の回転操作がなされる。これにより、ステータ３１の凹部３３によってドライバ７が位置決めされる結果、回転軸が固定されることになるため、ロータ２１の回転に伴うロータ２１の偏心を防止することができる。このため、ロータ２１の偏心による容量偏差が生じることを防止することができる。
【００３８】
図５の矢印Ｃで示す円はロータ２１の回転軌跡を表す。このように、ロータ２１の回転軸の位置は一定であり、図１５に示したような回転軸のずれが生じない。
【００３９】
また、図３に示すように、ロータ２１の回転軸に垂直な断面における断面形状は、ロータ２１の穴２３は四角形である一方、ステータ３１の凹部３３は円形である。このため、断面が四角形のドライバ７を穴２３及び凹部３３の両方に挿入させると、ドライバ７の角は四角形である穴２３の角と接触し、ドライバ７を回転させることでロータ２１が回転する一方、円形である凹部３３の内側側面にはドライバ７の角は接触しない。これにより、ステータ３１とロータ２１とのうち、ロータ２１のみを回転させることができる。
【００４０】
また、可変コンデンサ１によると、ステータ電極３２と穴２３との位置が一定となる。仮に、ステータ３１のボディ３４を母材から所定の寸法に切り出すボディカットの位置がずれたとしても、ロータ２１は凹部３３の位置を基準に回転されるため、ロータ２１の回転に伴う静電容量のバラつきを少なくすることができる。
【００４１】
なお、穴２３の断面形状は四角形に限定されず、ドライバ７の形状に合わせ、三角形又は五角形以上の多角形であってもよい。あるいは、ロータ２１の穴２３は、一部が凹（凸）形状であって、ドライバ７の凸（凹）形状部分と係合する形状となっていてもよい。即ち、ロータ２１の穴２３の断面形状は、ドライバ７の回転がロータ２１に伝わる構成になっていればよい。
【００４２】
また、ロータ２１は、非電極部２５におけるステータ３１との対向面に、当該対向面の縁に沿って延伸しロータ電極部２４と接続すると共に、ステータ３１における上記載置面に、ロータ電極部２４と共に接触する高さとなるリブ２６を有する。すなわち、ロータ２１の非電極部２５とステータ３１との間の隙間は、ステータ３１の天面と接触するリブ２６及びロータ電極部２４により囲まれた部分であると表現することもできる。さらに、リブ２６は、非電極部２５と合せてロータ電極部２４と同じ厚さとなるとも表現することができる。これにより、図１の矢印Ｂに示すように、フレーム１１と、ステータ３１との間の隙間から異物９がフレーム１１内に入っても、リブ２６により、当該異物９がロータ２１の非電極部２５とステータ３１との間の隙間に入ることを防止することができる。これにより、ロータ電極部２４とステータ３１との間に異物が入ることを防止することができる。これにより、ロータ２１の側面側から、ロータ２１とステータ３１との間へ異物が入ることを防止することができる。
【００４３】
〔実施形態２〕
本発明の実施形態２について、図８〜図１０に基づいて説明すれば、以下のとおりである。なお、説明の便宜上、実施形態１にて説明した部材と同じ機能を有する部材については、同じ符号を付記し、その説明を省略する。
【００４４】
図８は実施形態２に係る可変コンデンサ２の断面図である。図９は実施形態２に係る可変コンデンサ２の複数の凸部３７の構成を表す断面図である。図１０は可変コンデンサ２が有するステータ３１の天面図である。可変コンデンサ２は、凹部３３の底面に配された複数の凸部３７が配されている点で可変コンデンサ１と相違する。可変コンデンサ２の他の構成は可変コンデンサ１と同様である。
【００４５】
図８及び図９に示すように、ドライバ７はロータ２１を回転させるため、繰り返しロータ２１の穴２３及びステータ３１の凹部３３に挿入される。本実施形態においては、凹部３３に挿入されるドライバ７の先端部は先端に行くにつれ細くなっているが、実施形態１で示したドライバ７のように細くなっていなくてもよい。ドライバ７の先端部が先端に行くにつれ細くなっている形状の場合、凹部３３の内径がロータ２１の穴２３の内径より小さくてもよい。
【００４６】
可変コンデンサ２によると、凹部３３の底面に配された複数の凸部３７が配されている。このため、凹部３３に挿入されたドライバ７の先端部が複数の凸部３７の天面と接触する。そして、ドライバ７を回転させることで、複数の凸部３７のそれぞれの天面を含む頭頂部分により、ドライバ７の先端部に付着した異物９を、ドライバ７の先端部から除去することができる。このため、繰り返しロータ２１の穴２３及びステータ３１の凹部３３に挿入されるドライバ７の先端部をきれいにすることができる。この結果、ドライバ７をロータ２１の穴２３及びステータ３１の凹部３３に挿入させることに起因する、ロータ２１とステータ３１との間へ異物９が入ることを防止することができる。
【００４７】
さらに、同じドライバ７を使うことで、可変コンデンサ２とは異なる他の可変コンデンサ内へ異物９が運ばれて入ることを防止することができる。
【００４８】
一例として、複数の凸部３７はそれぞれ円錐台形状であり、凹部３３の底面に隙間なく、または、互いに離間して配されている構成であってもよい。また、複数の凸部３７は、必ずしも複数ある必要はなく、一つの凸部３７により凹部３３の底面に凹凸形状が構成されていてもよい。例えば、ロータ２１の回転軸に垂直な断面形状が十字形状である凸部３７が凹部３３の底面に配されていてもよい。また、凸部３７としては、ブラシ状の形状も含まれる。なお、凸部３７の形状は、これらに限定されるものではない。
【００４９】
〔実施形態３〕
本発明の実施形態３について、図１１〜図１２に基づいて説明すれば、以下のとおりである。なお、説明の便宜上、実施形態１・２にて説明した部材と同じ機能を有する部材については同じ符号を付記しその説明を省略する。
【００５０】
図１１は実施形態３に係る可変コンデンサ３の断面図である。図１２は実施形態３に係る可変コンデンサ３が有するロータ２７の下面図である。可変コンデンサ３はロータ２１に換えてロータ２７を備える点で可変コンデンサ１と相違する。可変コンデンサ３の他の構成は可変コンデンサ１と同様である。ロータ２７はロータ２１の構成に加えリブ（第２の突起部）２８を有する。
【００５１】
図１２に示すように、リブ２８は、ロータ２１の非電極部２５におけるステータ３１との対向面であって、ロータ２１の穴２３の縁に沿って延伸し、ロータ電極部２４と接続する。さらに、図１１に示すように、リブ２８は、ステータ３１における上記載置面に、ロータ電極部２４と共に接触する高さとなっている。このように、ロータ２７は外周にリブ２６が配され、さらに、内周にもリブ２８が配されている。
【００５２】
これにより、ロータ２１の穴２３はリブ２８及びロータ電極部２４により囲まれている。また、リブ２８は、非電極部２５と合せてロータ電極部２４と同じ厚さとなるとも表現することができる。このため、ドライバ７をロータ２１の穴２３に挿入させることに起因する、ロータ２１の非電極部２５とステータ３１との間の隙間へ異物９が入ることを防止することができる。この結果、ロータ２１とステータ３１とのそれぞれの接触面間へ異物９が入ることを、より確実に防止することができる。
【００５３】
〔まとめ〕
本発明の態様１に係る可変コンデンサ１〜３は、ステータ電極３２が配されているステータ３１と、当該ステータ３１に載置されたロータ２１とを備え、上記ロータ２１は、厚さが厚い部分でありロータ電極２２が配されたロータ電極部２４と、当該ロータ電極部２４より厚さが薄く上記ステータ３１と非接触である非電極部２５と、貫通孔（穴２３）とを有し、上記ステータ３１は、上記ロータ２１が載置された載置面（天面）に、上記貫通孔（穴２３）と連通する凹部３３を有することを特徴とする。
【００５４】
上記構成によると、上記ステータは、上記ロータが載置された上記載置面に、上記貫通孔と連通する凹部を有するため、上記貫通孔から異物が入ったとしても、当該異物は上記ステータの凹部に収容される。このため、上記ロータと上記ステータとの間に上記異物が入ることを防止することができる。
【００５５】
本発明の態様２に係る可変コンデンサ１〜３は、上記態様１において、上記ロータ２１の回転軸に垂直な断面における断面形状が、上記貫通孔（穴２３）はロータ２１を回転操作する工具（ドライバ７）に係合する部分を有する形状であり、上記凹部３３は円形であることが好ましい。
【００５６】
上記構成によると、上記貫通孔はロータを回転操作する工具に係合する断面形状を有しているため、上記工具を上記貫通孔及び上記凹部の両方に挿入させたとき、上記ステータと上記ロータとのうち、上記ロータのみを回転させることができる。それゆえ、上記ロータの貫通孔に上記工具を挿入し、当該ロータを回転させることで、上記ロータの上記ロータ電極部及び上記非電極部と上記ステータ電極との相対位置を調整することができる。この結果、上記可変コンデンサの静電容量を調整することができる。そして、上記ロータを回転させる際、上記工具は、上記ロータの貫通孔に挿入されると共に上記ステータの凹部にも挿入され、上記ロータの回転操作がなされる。これにより、上記ステータの凹部によって上記工具が位置決めされる結果、回転軸が固定されることになるため、上記ロータの回転に伴う当該ロータの偏心を防止することができる。
【００５７】
本発明の態様３に係る可変コンデンサ２は、上記態様１又は２において、上記凹部の底面には凸部３７が配されていることが好ましい。上記構成によると、上記凸部により、上記凹部に挿入された工具の先端部に付着する異物を除去することができる。このため、上記工具が繰り返し使用されても、当該工具を上記貫通孔及び上記凹部に挿入させることに起因する、上記ロータと上記ステータとの間への異物が入ることを防止することができる。
【００５８】
本発明の態様４に係る可変コンデンサ１〜３は、上記態様１〜３において、上記ロータ２１は、上記非電極部２５における上記ステータ３１の上記載置面との対向面に、当該対向面の縁に沿って延伸し上記ロータ電極部２４と接続すると共に、上記ステータ３１の上記載置面に、上記ロータ電極部２４と共に接触する高さの第１の突起部（リブ２６）を有してもよい。上記構成により、上記ロータの側面側から、上記ロータと上記ステータとの間へ異物が入ることを防止することができる。
【００５９】
本発明の態様５に係る可変コンデンサ３は、上記態様１〜４において、上記ロータ２７は、上記非電極部２５における上記ステータ３１の上記載置面との対向面に、上記貫通孔（穴２３）の縁に沿って延伸し上記ロータ電極部２４と接続すると共に、上記ステータ３１の上記載置面に、上記ロータ電極部２４と共に接触する高さの第２の突起部（リブ２８）を有してもよい。上記構成により、上記工具を上記貫通孔に挿入させることに起因する、上記ロータと上記ステータとのそれぞれの接触面間へ異物が入ることを、より確実に防止することができる。
【００６０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００６１】
本発明は、可変コンデンサに利用することができる。
【符号の説明】
【００６２】
１〜３  可変コンデンサ
７  ドライバ（工具）
９  異物
１１  フレーム
２１・２７  ロータ
２２  ロータ電極
２３  穴（貫通孔）
２４  ロータ電極部
２５  非電極部
２６  リブ（第１の突起部）
２８  リブ（第２の突起部）
３１  ステータ
３２  ステータ電極
３３  凹部
３４  ボディ
３７  凸部
【図１】
0006469376.tif 000002
【図２】
0006469376.tif 000003
【図３】
0006469376.tif 000004
【図４】
0006469376.tif 000005
【図５】
0006469376.tif 000006
【図６】
0006469376.tif 000007
【図７】
0006469376.tif 000008
【図８】
0006469376.tif 000009
【図９】
0006469376.tif 000010
【図１０】
0006469376.tif 000011
【図１１】
0006469376.tif 000012
【図１２】
0006469376.tif 000013
【図１３】
0006469376.tif 000014
【図１４】
0006469376.tif 000015
【図１５】
0006469376.tif 000016